(57)【要約】【課題】取り扱いが容易で、風、動物によるゴミの散乱の回避が容易、かつ容易に移動可能なゴミ収納ケースを提供する。【解決手段】上面に開口部を有するように網状ケースカバーで覆われゴミ及びゴミ袋のうちの１つ以上を収納する折り畳み可能なケース体２と、ケース体２の上面の開口部を開閉可能に覆い遠端に重石となる棒状ウエイト部を有する網状ケース蓋３と、ケース体２に取り付けられてケース体２の重石となるウエイト４と、ケース体内に開いて配置されゴミ及びゴミ袋のうちの１つ以上を収納する網状内袋５と、を備える構成を有している。【選択図】図１
0003132429.tif 000002
【実用新案登録請求の範囲】
【請求項１】
上面に開口部を有するように網状ケースカバーで覆われゴミ及びゴミ袋のうちの１つ以上を収納する折り畳み可能なケース体と、前記ケース体の上面の開口部を開閉可能に覆い遠端に重石となる棒状ウエイト部を有する網状ケース蓋と、前記ケース体に取り付けられて前記ケース体の重石となるウエイトとを備える、ことを特徴とするゴミ収納ケース。
【請求項２】
前記ケース体内に開いて配置されゴミ及びゴミ袋のうちの１つ以上を収納する網状内袋を備える、ことを特徴とする請求項１に記載のゴミ収納ケース。
【請求項３】
前記ケース体のいずれか１対の対向する側面が、前記網状ケースカバーと折り畳み可能なフレームとからなる、ことを特徴とする請求項１又は請求項２に記載のゴミ収納ケース。
【考案の詳細な説明】
【技術分野】
【０００１】
本考案は、ゴミ回収用の所謂ゴミステーション等として使用可能なゴミ収納ケースに関し、特に移動可能なゴミ収納ケースに関する。
【背景技術】
【０００２】
従来、ゴミ回収用に、固定して設けられる所謂ゴミステーションがしばしば用いられている。しかし、固定して設けられるゴミステーションでは、スペースの確保が問題となる場合がある。そのため、省スペース等の観点から、回収されるゴミにネットを掛けると共に重石で固定するゴミの散乱防止方法がしばしば使用されている。しかしながら、この方法では、強い風によってゴミが散乱し、また、ネット及び重石が適切に施されないこと等によってカラス、ネズミ、ネコなどの動物がゴミを散乱する場合がある。
【０００３】
このため、省スペースの確保、動物による散乱の防止の問題を解決する技術として、例えば特許文献１に記載のものが知られている。特許文献１に記載のゴミ箱は、台座の上に主に板からなる箱部分が載せられて固定され、箱の上の蓋が開閉可能であり、箱部分が折り畳み可能になっている。このように折り畳み可能に構成されることによって、省スペース性が確保される。
【特許文献１】特開２００４−３１５２２２号公報
【考案の開示】
【考案が解決しようとする課題】
【０００４】
しかしながら、従来のゴミ箱では、箱部分が板からなると共に台座の上に載る構成であるため、取り扱い容易性、強い風への耐性、及び移動容易性を同時に充足することが困難であるという問題を有していた。
【０００５】
以上の現状に鑑み、本考案の目的は、取り扱いが容易で、風、動物によるゴミの散乱の回避が容易、かつ容易に移動可能なゴミ収納ケースを提供する。
【課題を解決するための手段】
【０００６】
上記の課題を解決すべく、本考案は以下の構成を提供する。
請求項１に係る考案は、上面に開口部を有するように網状ケースカバーで覆われゴミ及びゴミ袋のうちの１つ以上を収納する折り畳み可能なケース体と、前記ケース体の上面の開口部を開閉可能に覆い遠端に重石となる棒状ウエイト部を有する網状ケース蓋と、前記ケース体に取り付けられて前記ケース体の重石となるウエイトとを備える、ことを特徴とする。
【０００７】
請求項２に係る考案は、請求項１に記載のゴミ収納ケースにおいて、前記ケース体内に開いて配置されゴミ及びゴミ袋のうちの１つ以上を収納する網状内袋を備える、ことを特徴とする。
【０００８】
請求項３に係る考案は、請求項１又は請求項２に記載のゴミ収納ケースにおいて、前記ケース体のいずれか１対の対向する側面が、前記網状ケースカバーと折り畳み可能なフレームとからなる、ことを特徴とする。
【考案の効果】
【０００９】
請求項１に係る考案によれば、上面に開口部を有するように網状ケースカバーで覆われゴミ及びゴミ袋のうちの１つ以上を収納する折り畳み可能なケース体と、ケース体の上面の開口部を開閉可能に覆い遠端に重石となる棒状ウエイト部を有する網状ケース蓋と、ケース体に取り付けられてケース体の重石となるウエイトとを備えるため、取り扱いが容易で、風、動物によるゴミの散乱の回避が容易、かつ容易に移動可能なゴミ収納ケースを実現することができる。
【００１０】
請求項２に係る考案によれば、上記請求項１の効果に加えて、ケース体内に開いて配置されゴミ及びゴミ袋のうちの１つ以上を収納する網状内袋を備えるため、網状ケースカバーから網状内袋までの距離を増加でき、もってゴミの散乱をより効果的に抑制することができる。
【００１１】
請求項３に係る考案によれば、上記請求項１又は請求項２の効果に加えて、ケース体のいずれか１対の対向する側面が、網状ケースカバーと折り畳み可能なフレームとからなるため、より容易に移動させることができる。
【考案を実施するための最良の形態】
【００１２】
以下、実施例を示した図面を参照しつつ本考案の実施の形態について説明する。
図１は、本考案によるゴミ収納ケースの一実施例を模式的に示す図である。ゴミ収納ケース１は、図１に示すように、上面に開口部を有しゴミ、ゴミ袋等を収納するケース体２と、ケース体２の上面の開口部を覆う網状ケース蓋３と、ケース体２に取り付けられてケース体２の重石となるウエイト４と、を備える。なお、ゴミ収納ケース１は、図１に示すように、ケース体２内に開いて配置される網状内袋５を備え、網状内袋５内にゴミ、ゴミ袋等を収納するのでもよい。以下、特に記載する場合を除き、ゴミ袋等は、網状内袋５にされるものとして説明する。
【００１３】
図２は、分解されたケース体の状態を示す斜視図である。ケース体２は、底面と１対の長手側側面をなす第１のケース部２１と、残りの側面をなす第２のケース部２２とを有する。第１のケース部２１は、例えば、針金、ワイヤー、パイプ、丸棒等からなり、外形が平面方形の１対の第１のフレーム２１１と、各第１のフレーム２１１内に縦横に張設され、針金、ワイヤー等からなる補強線２１２と、底面と長手側側面をなす各面に張設された第１の網状ケースカバー２１３と、各第１のフレーム２１１に固設されウエイト４を係止させる複数の係止環部２１４とを有する。ここで、係止環部２１４は、例えば、ケース体２の高さに関して中央より下側に設けられ、ケース体２の安定性を確保可能に設けられる。
【００１４】
第２のケース部２２は、それぞれ外形が平面方形の複数の枠からなる１対の第２のフレーム２２１と、各第２のフレーム２２１のそれぞれの枠内に、例えば縦方向及び横方向のいずれか１つ以上の方向に張設され、針金、ワイヤー等からなる補強線２２２と、第２のフレーム２２１にそれぞれ張設された第２の網状ケースカバー２２３とを有する。ここで、第２のフレーム２２１の各枠は、第１のフレーム２１１の場合と同様に、例えば、針金、ワイヤー、パイプ、丸棒等から形成されるのでもよい。
【００１５】
図３は、図１におけるＡ−Ａ線についての拡大断面図であり、第１のケース部２１と第２のケース部２２との連結状態等が示されている。図４は、図３における連結部分近傍を拡大して示す拡大部分断面図である。図３及び図４に示すように、第１のケース部２１と第２のケース部２２とは、隣り合う第１のフレーム２１１と第２のフレーム２２１とを、複数のリング２３１で囲むことによって屈曲自在に連結されている。図５は、図１におけるＢ−Ｂ線拡大断面図であり、第２のケース部２２をなす隣り合う２つの枠間の連結状態等が示されている。これらの枠は、２つのケース部２１、２２間の連結の場合と同様に、複数のリング２３１を用いて連結される。
【００１６】
なお、第１の網状ケースカバー２１３は、底面と側面との境界のいずれか一方または両方の近傍部分で分離可能に接続されているのでもよい。また、第１の網状ケースカバー２１３を分離可能に接続するために、例えば接続部に係合するフックを第１の網状ケースカバーの対応する端部に設けるのでもよい。
【００１７】
図６は、図５における網状ケース蓋が取り付けられた部分近傍を拡大して示す拡大部分断面図である。網状ケース蓋３は、基端部周辺でケース体２の第１のケース部２１に縫い糸２３２を用いて縫合取り付けされケース体２の上面の開口部を覆う平面方形の網状蓋部３１と、網状蓋部３１の遠端部に縫合取り付けされて添着され、網状蓋部３１の重石となって風、動物等によって開かないように網状蓋部３１を保持する棒状ウエイト部３２とを有する。
【００１８】
ウエイト４は、図５に示すように、ケース体２の重石となるウエイト部４１と、ウエイト部４１設けられ係止環部２１４に係止するフック部４２とを有する。図７は、図１におけるＣ−Ｃ線拡大断面図であり、ウエイトの取り付けの態様の一例等が示されている。ウエイト４の平面的な配置に関しては、ウエイト４が２個の場合、図７に示すように例えばケース体２の底面に垂直な軸に関して軸対称な位置近傍に取り付けられる。また、ウエイト４が４個の場合、もう１対の同等に軸対称な位置近傍にさらに残りのウエイト４が取り付けられる。また、係止環部２１４の数は、各ケース部２１、２２に対して、例えば、２個、３個、４個等として各フレーム２１１、２２１に係る力を分散させるのでもよい。
【００１９】
網状内袋５は、図１に示すように、開口部を有し、ゴミ、ゴミ袋等を収納する網状の内袋体５１と、内袋体５１の開口部近傍に開口部を開閉可能に取り付けられた口紐５２とを有する。
【００２０】
以下、図９〜図１２を参照して、本発明によるゴミ収納ケースの使用について説明する。
まず、予め図９に示すような態様で折り畳まれたゴミ収納ケース１が図１に示すように配置される。図９は、ゴミ収納ケースの折り畳みについて説明する概略の平面図である。ゴミ収納ケース１が図１に示すように配置されることによって、ゴミ、ゴミ袋等の収納又は網状内袋５の配置が可能になる。ゴミ収納ケース１又は網状内袋５内にゴミ袋等を入れる毎に、網状ケース蓋３が開閉される。
【００２１】
図１０は、網状内袋なしでゴミ収納ケースが使用される状態を模式的に示す、図１におけるＢ−Ｂ線拡大断面図である。図１１は、図１０に対応し、内部に網状内袋が配置されてゴミ収納ケースが使用される状態を模式的に示す拡大断面図である。図１０及び図１１に示すように、ゴミ袋Ｍが入れられて一旦閉じられると、網状ケース蓋３は、棒状ウエイト部３２の自重によって動物が開けることができないようになっている。特に図１１に示す例では、網が二重になっているため、動物がゴミを銜えること、突くこと等を抑制又は回避することができ、ゴミの散乱防止効果を高めることができる。また、ケース体２が網状ケースカバー２１３、２２３で覆われているために風が網状部分を通り抜けると共に、ウエイト４が重石となっているため、簡易な構成で、ケース体２の寸法、ウエイト４の重さ等、及びゴミの形状、重量等に応じて、風によるゴミの散乱を回避できる。
【００２２】
図１２は、図１１に示す態様で使用されたゴミ収納ケースから取り出され、ゴミ袋を収納した網状内袋５の状態を示す模式図である。網状内袋５は、例えば、ゴミ回収時等にゴミ回収作業員等によって口紐５２が操作され、内袋体５１の開口部が閉じた状態で取り出される。空の状態のゴミ収納ケース１は、再び図９に示すようにリング２３１を挟む両側の枠が曲げられて折り畳まれ、所定の格納場所に移動される。
【図面の簡単な説明】
【００２３】
【図１】本考案によるゴミ収納ケースの一実施例を模式的に示す図である。
【図２】分解されたケース体の状態を示す斜視図である。
【図３】図１におけるＡ−Ａ線についての拡大断面図である。
【図４】図３における連結部分近傍を拡大して示す拡大部分断面図である。
【図５】図１におけるＢ−Ｂ線についての拡大断面図である。
【図６】図５における網状ケース蓋が取り付けられた部分近傍を拡大して示す拡大部分断面図である。
【図７】図１におけるＣ−Ｃ線についての拡大断面図である。
【図８】図７における連結部分近傍を拡大して示す拡大部分断面図である。
【図９】ゴミ収納ケースの折り畳みについて説明する概略の平面図である。
【図１０】網状内袋なしでゴミ収納ケースが使用される状態を模式的に示す、図１におけるＢ−Ｂ線拡大断面図である。
【図１１】図１０に対応し、内部に網状内袋が配置されてゴミ収納ケースが使用される状態を模式的に示す拡大断面図である。
【図１２】図１１に示す態様で使用されたゴミ収納ケースから取り出され、ゴミ袋を収納した網状内袋５の状態を示す模式図である。
【符号の説明】
【００２４】
１  ゴミ収納ケース
２  ケース体
３  網状ケース蓋
４  ウエイト
５  網状内袋
２１、２２  ケース部
３１  網状蓋部
３２  棒状ウエイト部
４１  ウエイト部
４２  フック部
５１  内袋体
５２  口紐
２１１、２２１  フレーム
２１２、２２２  補強線
２１３、２２３  網状ケースカバー
２１４  係止環部
２３１  リング
２３２  縫い紐
Ｍ  ゴミ袋
【図１】
0003132429.tif 000003
【図２】
0003132429.tif 000004
【図３】
0003132429.tif 000005
【図４】
0003132429.tif 000006
【図５】
0003132429.tif 000007
【図６】
0003132429.tif 000008
【図７】
0003132429.tif 000009
【図８】
0003132429.tif 000010
【図９】
0003132429.tif 000011
【図１０】
0003132429.tif 000012
【図１１】
0003132429.tif 000013
【図１２】
0003132429.tif 000014